【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
メモリに記憶されている複数のファイルの属性に基づいて、当該複数のファイルを複数のグループに分類する分類手段と；
ユーザが記入することによって上記複数のファイルから処理対象のファイルを選択可能な第１のシート、又は、ユーザが記入することによって上記分類手段により分類された複数のグループからいずれかのグループを選択可能であり、上記第１のシートを印刷させるときの選択候補のファイルを、ユーザにより選択されたグループに含まれるファイルに絞り込むために用いる第２のシートを、印刷装置に印刷させる印刷制御手段と；
上記複数のファイルの数に基づく、上記印刷制御手段により当該複数のファイルの全てを選択候補として上記第１のシートを印刷させたときの当該第１のシートの枚数である第１の枚数と、上記分類手段により分類された上記複数のグループの数に基づく、上記印刷制御手段により当該複数のファイルに基づく上記第２のシートを印刷させ、当該第２のシートを用いて絞り込まれた所定の数のファイルを選択候補として上記第１のシートを印刷させたときの、当該第１のシートと当該第２のシートの合計枚数である第２の枚数とに基づき、上記第１のシートと上記第２のシートから、上記印刷制御手段による印刷対象のシートを決定する決定手段と；
を有し、
上記決定手段は、上記第１の枚数が上記第２の枚数以下である場合、上記第１のシートを印刷対象のシートとして決定し、上記第１の枚数が上記第２の枚数より大きい場合、上記第２のシートを印刷対象のシートとして決定することを特徴とする情報処理装置。
【請求項２】
請求項１において、
上記印刷制御手段により印刷された上記第１のシート又は上記第２のシートを読取装置が読み取って得られた読取画像を取得する取得手段と；
上記取得手段により取得された読取画像に基づき、上記第１のシートにより選択されたファイル、または上記第２のシートにより選択されたグループを特定する特定手段と；
を有し、
上記特定手段によりファイルが特定された場合、当該ファイルに所定の処理を実行し、上記特定手段によりグループが特定された場合、上記印刷制御手段により、当該グループに含まれるファイルが選択候補として絞り込まれた上記第１のシートを印刷させることを特徴とする情報処理装置。
【請求項３】
請求項２において、
上記印刷制御手段は、シートを印刷させるときに、当該シートが上記第１のシートと上記第２のシートのいずれのシートであるのかを示す情報を当該シートに印刷させ、上記特定手段は、上記取得手段により取得された読取画像に含まれる当該情報に基づき当該シートが上記第１のシートであるか上記第２のシートであるか判定することにより、上記第１のシートにより選択されたファイルまたは上記第２のシートにより選択されたグループを特定することを特徴とする情報処理装置。
【請求項４】
請求項２または３において、
上記特定手段によりユーザにより選択されたグループが特定されたときに、上記決定手段は、上記第１のシートと上記第２のシートから、当該グループに含まれる複数のファイルを選択候補のファイルとしたときの、上記印刷制御手段による印刷対象のシートを決定することを特徴とする情報処理装置。
【請求項５】
請求項１乃至４のいずれか１項において、
上記分類手段は、上記複数のファイルに対応する時間情報に基づいて、当該複数のファイルを複数のグループに分類することを特徴とする情報処理装置。
【請求項６】
請求項１乃至５のいずれか１項において、
上記決定手段は、上記分類手段により分類された複数のグループのそれぞれに含まれるファイルの数の最小値を、上記第２のシートを用いて絞り込まれたファイルの上記所定の数とすることを特徴とする情報処理装置。
【請求項７】
請求項１乃至５のいずれか１項において、
上記決定手段は、上記分類手段により分類された複数のグループのそれぞれに含まれるファイルの数の最大値を、上記第２のシートを用いて絞り込まれたファイルの上記所定の数とすることを特徴とする情報処理装置。
【請求項８】
メモリに記憶されている複数のファイルの属性に基づいて、当該複数のファイルを複数のグループに分類する分類工程と；
ユーザが記入することによって上記複数のファイルから処理対象のファイルを選択可能な第１のシート、又は、ユーザが記入することによって上記分類工程において分類された複数のグループからいずれかのグループを選択可能であり、上記第１のシートを印刷させるときの選択候補のファイルを、ユーザにより選択されたグループに含まれるファイルに絞り込むために用いる第２のシートを、印刷装置に印刷させる印刷制御工程と；
上記複数のファイルの数に基づく、上記印刷制御工程において当該複数のファイルの全てを選択候補として上記第１のシートを印刷させたときの当該第１のシートの枚数である第１の枚数と、上記分類工程により分類された上記複数のグループの数に基づく、上記印刷制御工程において当該複数のファイルに基づく上記第２のシートを印刷させ、当該第２のシートを用いて絞り込まれた所定の数のファイルを選択候補として上記第１のシートを印刷させたときの、当該第１のシートと当該第２のシートの合計枚数である第２の枚数とに基づき、上記第１のシートと上記第２のシートから、上記印刷制御工程における印刷対象のシートを決定する決定工程と；
を有し、
上記決定工程では、上記第１の枚数が上記第２の枚数以下である場合、上記第１のシートを印刷対象のシートとして決定し、上記第１の枚数が上記第２の枚数より大きい場合、上記第２のシートを印刷対象のシートとして決定することを特徴とする情報処理方法。
【請求項９】
請求項８に記載の情報処理方法をコンピュータに実行させるためのプログラム。
【手続補正２】
【補正対象書類名】明細書
【補正対象項目名】発明の名称
【補正方法】変更
【補正の内容】
【発明の名称】情報処理装置、情報処理方法、およびプログラム
【手続補正３】
【補正対象書類名】明細書
【補正対象項目名】０００１
【補正方法】変更
【補正の内容】
【０００１】
本発明は、ユーザが記入することによってメモリに記憶されている複数のファイルから処理対象のファイルを選択可能なシートを印刷装置に印刷させる情報処理装置、情報処理方法、およびプログラムに関する。
【手続補正４】
【補正対象書類名】明細書
【補正対象項目名】００１４
【補正方法】変更
【補正の内容】
【００１４】
本発明の情報処理装置は、メモリに記憶されている複数のファイルの属性に基づいて、当該複数のファイルを複数のグループに分類する分類手段と、ユーザが記入することによって上記複数のファイルから処理対象のファイルを選択可能な第１のシート、又は、ユーザが記入することによって上記分類手段により分類された複数のグループからいずれかのグループを選択可能であり、上記第１のシートを印刷させるときの選択候補のファイルを、ユーザにより選択されたグループに含まれるファイルに絞り込むために用いる第２のシートを、印刷装置に印刷させる印刷制御手段と、上記複数のファイルの数に基づく、上記印刷制御手段により当該複数のファイルの全てを選択候補として上記第１のシートを印刷させたときの当該第１のシートの枚数である第１の枚数と、上記分類手段により分類された上記複数のグループの数に基づく、上記印刷制御手段により当該複数のファイルに基づく上記第２のシートを印刷させ、当該第２のシートを用いて絞り込まれた所定の数のファイルを選択候補として上記第１のシートを印刷させたときの、当該第１のシートと当該第２のシートの合計枚数である第２の枚数とに基づき、上記第１のシートと上記第２のシートから、上記印刷制御手段による印刷対象のシートを決定する決定手段とを有し、上記決定手段は、上記第１の枚数が上記第２の枚数以下である場合、上記第１のシートを印刷対象のシートとして決定し、上記第１の枚数が上記第２の枚数より大きい場合、上記第２のシートを印刷対象のシートとして決定することを特徴とする。
【手続補正５】
【補正対象書類名】明細書
【補正対象項目名】００１５
【補正方法】変更
【補正の内容】
【００１５】
本発明によれば、ユーザが処理対象のファイルを選択するためのシート、または当該シートを印刷させるときの選択候補のファイルを絞り込むために用いるシートを、適切に印刷することができる。